(57)【要約】【課題】映像信号再生装置において、早送り／逆早送り再生モードから通常再生モードへ移行する際に、画像確認から指示操作までの反応時間の遅れによる通常再生位置のずれをなくし、的確に所望の映像から通常再生を開始させる。【解決手段】早送り再生の設定速度倍率を５Ｆ倍（Ｆ＝１,２,・・・,６）とした場合に、ハードディスクから前記速度倍率に対応した間引き間隔で２系列のフレームを読み出してデコードする。第２系列のフレームは第１系列のフレームに対して早送り表示で０.５sec前（７５Ｆフレーム分前）のフレームとされ、第２系列のフレームは所定縮小倍率で縮小した後に第１系列のフレームと合成し、第１系列のフレームを親画面、第２系列のフレームを子画面とした親子画面をディスプレイに表示させる。操作者が子画面の映像で確認したタイミングで通常再生モードへの切り換え指示操作を行う。【選択図】図５
2006324850.tif 000002
【特許請求の範囲】
【請求項１】
通常再生モードと早送り再生モードと逆早送り再生モードとを選択的に設定することが可能であり、記録媒体から読み出した圧縮画像データを、前記通常再生モードでは順次１フレームずつ復号して再生し、前記早送り再生モード及び前記逆早送り再生モードでは各設定速度倍率に対応した間隔毎のフレームを復号して再生する映像信号再生装置において、
前記早送り再生モード又は前記逆早送り再生モードが設定された場合に、前記設定速度倍率に対応する間引き間隔毎のフレーム（以下、「第１系列フレーム」という）と前記第１系列フレームより前記設定速度倍率に応じた増減傾向で設定されるフレーム数分だけ時間的に前又は後のフレーム（以下、「第２系列フレーム」という）とを復号する復号手段と、
前記復号手段が復号した前記第１系列フレームを記憶する第１記憶手段と、
前記復号手段が復号した前記第２系列フレームを記憶する第２記憶手段と、
前記第２記憶手段に記憶された前記第２系列フレームの画像サイズを縮小した画像データを生成する縮小画像生成手段と、
前記第１記憶手段に記憶された前記第１系列フレームの画像データと前記縮小画像生成手段で生成された前記第２系列フレームの縮小画像データとを合成して親子画面のフレームを生成する画像合成手段と
を備え、前記早送り再生モード及び前記逆早送り再生モードで前記画像合成手段が生成した親子画面を再生出力させることを特徴とする映像信号再生装置。
【請求項２】
前記縮小画像生成手段が、前記設定速度倍率に応じた増減傾向で設定される縮小表示倍率で前記第２系列フレームの縮小画像データを生成するよう構成した請求項１に記載の映像信号再生装置。
【請求項３】
前記画像合成手段が、
前記第１系列フレームの画像データによる親画面に対する前記第２系列フレームの縮小画像データによる子画面の表示位置について、
前記早送り再生モードでは、前記子画面の中心が前記親画面の中心よりも右側に位置すると共に、その右側への偏移量を前記設定速度倍率に応じた増減傾向で設定し、
前記逆早送り再生モードでは、前記子画面の中心が前記親画面の中心よりも左側に位置すると共に、その左側への偏移量が前記設定速度倍率に応じた増減傾向で設定して
画像データの合成を行うよう構成した請求項１に記載の映像信号再生装置。
【発明の詳細な説明】
【技術分野】
【０００１】
本発明は映像信号再生装置に係り、特に、指示操作によって早送り／逆早送り再生から通常再生へ移行する際に、的確な開始位置から通常再生映像を表示させるための改良に関する。
【背景技術】
【０００２】
ハードディスクやＤＶＤを利用してテレビジョン（ＴＶ）放送番組を録画・再生するビデオレコーダの普及が目覚しく、それら記録媒体を用いたビデオレコーダではＶＴＲ（ビデオテープレコーダ）と比較しても飛躍的な長時間録画が可能になっており、また、ディスク状記録媒体であるために再生が簡単で迅速に行えるという利便性を備えている。そのため、ビデオレコーダのハードディスク等には非常に多くの放送番組が記録されることが多く、ドラマ番組を全話分収録するような場合も少なくない。
【０００３】
そして、録画した放送番組の再生中に視聴したい部分を探す際やＣＭの放送時間帯をスキップさせる際には、早送り／逆早送り再生モードを設定してコマ落しで送られる映像を注視しながら所望の映像が表示されたタイミングで通常再生モードに戻す操作を行う。その場合、操作者が映像を認識して通常再生ボタンを押すまでには如何にしても反応時間分の遅延が生じてしまい、ビデオレコーダ側で操作を受け付けて通常再生を開始する時点での映像は、早送り再生モードでは時間的に進んだものとなり、逆早送り再生モードでは時間的に遅れたものとなる。即ち、早送り／逆早送り再生モードにおけるフレームの間引き状態で前記反応時間に対応するフレーム数だけ後／先のフレームから表示され、所望の映像から表示させることができない。
【０００４】
尚、早送り再生から通常再生への移行時における表示に関連して、下記特許文献１には、「再生中のマルチメディアデータの表示時間とその再生中のマルチメディアデータの表示開始から通常再生移行要求の入力タイミングまでの時間とに基づいて、早送り解除の入力タイミングに相当するマルチメディアデータを特定することにより、前記入力タイミングに相当するマルチメディアデータに逆上って通常再生を実行するようにした映像再生装置や映像再生方法」が開示されている。より具体的には、「表示系デバイスで再生している映像の時間軸に基づいて、早送り解除入力タイミングに相当する映像を特定し、これに逆上って読み出しを行った後、通常再生を再開する」としている。
【特許文献１】特開２００４−３１８９６６号公報
【発明の開示】
【発明が解決しようとする課題】
【０００５】
ところで、最近のビデオレコーダでは長時間録画が可能になったことに伴って早送り／逆早送り再生モードの速度範囲も大きくなっており、一般的な早送り速度である５倍から３０倍程度の高速早送りまで可能になっている。従って、高速早送りになると、操作者による映像認識から通常再生ボタン操作までの反応時間分の遅延は通常再生開始位置のずれに大きく影響し、所望の映像から表示させることが益々困難になり、早送りと逆早送りを繰り返して調整しなければならない場合が多くなる。また、前記特許文献１の映像再生装置や映像再生方法等はそのような操作上の遅延を考慮したものではなく、やはり同様の不都合が不可避的に生じてしまう。そこで、本発明は、指示操作を行って早送り／逆早送り再生モードから通常再生モードへ移行する際に、より的確に所望の映像から再生を開始させることが可能な映像信号再生装置を提供することを目的とする。
【課題を解決するための手段】
【０００６】
本発明は、通常再生モードと早送り再生モードと逆早送り再生モードとを選択的に設定することが可能であり、記録媒体から読み出した圧縮画像データを、前記通常再生モードでは順次１フレームずつ復号して再生し、前記早送り再生モード及び前記逆早送り再生モードでは各設定速度倍率に対応した間隔毎のフレームを復号して再生する映像信号再生装置において、前記早送り再生モード又は前記逆早送り再生モードが設定された場合に、前記設定速度倍率に対応する間引き間隔毎のフレーム（以下、「第１系列フレーム」という）と前記第１系列フレームより前記設定速度倍率に応じた増減傾向で設定されるフレーム数分だけ時間的に前又は後のフレーム（以下、「第２系列フレーム」という）とを復号する復号手段と、前記復号手段が復号した前記第１系列フレームを記憶する第１記憶手段と、前記復号手段が復号した前記第２系列フレームを記憶する第２記憶手段と、前記第２記憶手段に記憶された前記第２系列フレームの画像サイズを縮小した画像データを生成する縮小画像生成手段と、前記第１記憶手段に記憶された前記第１系列フレームの画像データと前記縮小画像生成手段で生成された前記第２系列フレームの縮小画像データとを合成して親子画面のフレームを生成する画像合成手段とを備え、前記早送り再生モード及び前記逆早送り再生モードで前記画像合成手段が生成した親子画面を再生出力させることを特徴とする映像信号再生装置に係る。
【０００７】
本発明の映像信号再生装置によれば、早送り／逆早送り再生モードにおいて、第１系列フレームを親画面とし、第２系列フレームを子画面とした親子画面を表示再生させることができ、設定速度倍率に応じた増減傾向で設定される時間分だけ前／後の映像を子画面で確認しながら通常再生モードへ移行するための操作が行える。
【０００８】
また、本発明においては、前記縮小画像生成手段を、前記設定速度倍率に応じた増減傾向で設定される縮小表示倍率で前記第２系列フレームの縮小画像データを生成する手段としておくことが望ましい。縮小画像生成手段にこの機能を付加しておくことにより、高速での早送り／逆早送りが設定された際の子画面の映像に対する視認性が向上する。
【０００９】
また、本発明においては、前記画像合成手段が、前記第１系列フレームの画像データによる親画面に対する前記第２系列フレームの縮小画像データによる子画面の表示位置について、前記早送り再生モードでは、前記子画面の中心が前記親画面の中心よりも右側に位置すると共に、その右側への偏移量を前記設定速度倍率に応じた増減傾向で設定し、前記逆早送り再生モードでは、前記子画面の中心が前記親画面の中心よりも左側に位置すると共に、その左側への偏移量が前記設定速度倍率に応じた増減傾向で設定して画像データの合成を行うようにしておくことが望ましい。画像合成手段にこの機能を付加しておくことにより、早送り再生モードと逆早送り再生モードの何れの設定状態にあるか、及びそれぞれのモードでどの速度倍率が設定されているかを確認し易くなる。
【発明の効果】
【００１０】
本発明の映像信号再生装置は、以上の構成を有していることにより、次のような効果を奏する。早送り／逆早送り再生モードから通常再生モードへ移行する際に、映像認識と移行操作との間に反応時間分の遅延があっても、的確な操作タイミングで所望の映像から通常再生させることができる。特に、子画面と親画面の各映像の時間差を設定速度倍率に応じて増減させているため、高速での早送り／逆早送りになっても一定の操作精度を確保できる。また、縮小画像生成手段で子画面の縮小表示倍率を早送り／逆早送り再生の設定速度倍率に応じた増減傾向で変化させることにより、高速での早送り／逆早送りが設定された際にも子画面の映像を正確に視認できるようにして操作精度の低下を防止する。更に、画像合成手段で早送り／逆早送り再生モードの設定状態に応じて親画面内における子画面の位置を変化させることにより、早送り／逆早送り再生モードの設定条件の確認を容易にして操作性を向上させる。
【発明を実施するための最良の形態】
【００１１】
以下、本発明の映像信号再生装置の実施形態を図面に基づいて詳細に説明する。
［実施形態１］
先ず、図１はハードディスク装置を搭載したデジタルビデオレコーダのブロック図である。このビデオレコーダ１の記録系は、アンテナ２を介してＴＶ放送電波を受信するＴＶチューナ部３と、ＴＶチューナ部３の受信ビデオ信号と外部からの入力ビデオ信号のいずれを記録信号とするかを選択するスイッチ回路４と、スイッチ回路４で選択したビデオ信号をデジタル信号に変換するＡ／Ｄ変換器５と、Ａ／Ｄ変換後の画像データをＭＰＥＧ（Moving Picture Experts Group）-２方式で符号化するエンコーダ６とからなり、エンコーダ６によって符号化圧縮された画像データがハードディスク装置（ＨＤＤ）７でハードディスクに記録される。一方、再生系は、ＨＤＤ７でハードディスクから読み出した画像データを復号するデコーダ８と、後述するように早送り／逆早送り再生モードにおいてデコーダ８で復号した２系列のフレームの画像データに基づいて親子画面を生成させる親子画面生成部９と、親子画面生成部９が出力する画像データをアナログ信号に変換するＤ／Ａ変換器１０と、各種制御設定情報をディスプレイの一部に表示させるための信号を出力するＯＳＤ（On Screen Display）発生部１１と、Ｄ／Ａ変換器１０とＯＳＤ発生部１１の各出力信号を加算合成する加算回路１２とからなり、加算回路１２の出力信号が外部のＴＶディスプレイ１３へ出力されて映像表示される。
【００１２】
また、制御系は、外部のリモコン１４からの指示信号で変調された近赤外光を受光する受光部１５と、受光部１５の出力信号をコードデータに復調するインターフェイス（Ｉ／Ｆ）１６と、Ｉ／Ｆ１６からリモコン１４の指示コードを取り込んでシステム全体を制御する制御部１７とからなり、リモコン１４からの指示操作によって入力信号の選択、ＴＶ放送の選局、記録／再生モードの設定、早送り／逆早送り再生モードの設定、速度倍率の設定等の各種の設定・制御がなされるようになっている。
【００１３】
この実施形態のビデオレコーダ１の特徴は、リモコン１４によって早送り／逆早送り再生モードの設定がなされた場合に、ＨＤＤ７から読み出した映像データから時間差のある２系列の早送り／逆早送り再生用のフレームを読み出して復号し、親子画面生成部９で２系列の映像データをそれぞれ親画面側と子画面側に表示させるための画像データに合成する点にある。ここで、親子画面生成部９は、図２に示すように、２つのフレームメモリ２１，２２と、デコーダ８で復号された２系列の画像データの各フレームメモリ２１，２２に対する書き込みと読み出しの制御を行うＲ／Ｗ制御部２３と、フレームメモリ２２の画像データを子画面サイズに縮小する縮小画像生成部２４と、フレームメモリ２１の一方の系列の画像データと縮小画像生成部２４で縮小した他方の系列の画像データとを合成して親子画面の画像データを生成する画像合成部２５で構成されている。
【００１４】
以下、このビデオレコーダ１において、ハードディスクに録画記録したＴＶ放送番組を通常再生モードで再生している状態で、早送り再生機能を利用して視聴したい映像部分を探し、その部分から通常再生モードで再生する場合の動作を図３のフローチャートに基づいて説明する。先ず、親子画面生成部９は通常再生（×１）モードではスルーパス状態になっている。即ち、ＨＤＤ７によってハードディスクから読み出された圧縮画像データはデコーダ８で復号され、一旦親子画面生成部９のフレームメモリ２１に書き込まれて画像合成部２５に読み出されるが、画像合成部２５では何等の処理も施さずにそのままＤ／Ａ変換器１０へ出力し、Ｄ／Ａ変換後の画像データが加算回路１２を経てＴＶディスプレイ１３で表示される（S11）。
【００１５】
ここで、操作者によってリモコン１４から早送り再生（×２０）モードの設定指示がなされると、その直前に再生されていたフレームをＧ[X-1]；(但し、［ ］内はフレームのシリアル番号)とした場合に、ＨＤＤ７はハードディスクからフレーム：Ｇ[X]を含むＭＰＥＧのＧＯＰ（Group of Pictures）を読み出し、そのＧＯＰをデコーダ８で復号し、フレーム：Ｇ[X]のデコードデータをフレームメモリ２１に書き込む（S14）。また、ＨＤＤ７はハードディスクからフレーム：Ｇ[X]より３００フレーム分前のフレーム：Ｇ[X-300]を含むＧＯＰを読み出し、そのＧＯＰをデコーダ８で復号した後のフレーム：Ｇ[X-300]のデコードデータをフレームメモリ２２に書き込む（S15）。
【００１６】
次に、フレームメモリ２２のフレーム：Ｇ[X-300]のデータは縮小画像生成部２４へ読み出され、縮小画像生成部２４において所定縮小倍率の縮小画像データ：Ｓ[X-300]を生成し、画像合成部２５においてフレームメモリ２１のＧ[X]のデコードデータと前記縮小画像データ：Ｓ[X-300]とを１フレームの画像データに合成する（S16）。また、その合成画像データはＤ／Ａ変換器１０でアナログ信号に変換された後、加算回路１２を経てＴＶディスプレイ１３に表示される（S16）。
【００１７】
そして、前記のステップS14からステップS16までの処理は、２０倍の早送り速度設定条件に基づいて次に読み出される２系列のフレーム：Ｇ[X+20]，Ｇ[X-300+20]についても同様の手順で合成画像データが作成され、以降も通常再生（×１）モードが設定されるまで、２系列のフレーム：Ｇ[X+20i]，Ｇ[X-300+20i]（i=2,3,4,・・・）について同様の処理を行って合成画像データのフレームをＴＶディスプレイ１３に表示させる（S17→S18→S14〜S16）。
【００１８】
従って、ＴＶディスプレイ１３には図４に示すような親子画面の映像が表示されることになる。即ち、親画面５１側にはフレーム：Ｇ[X+20i]の画像が、子画面５２側にはフレーム：Ｇ[X-300+20i]の画像がそれぞれ表示され、子画面５２側の画像は親画面５１側の画像よりも３００フレーム分前の画像になっている。ここで、３００フレーム分は通常再生（×１）モードでの時間に換算すると１０secに相当し、早送り（×２０）モードでの時間に換算すると０.５secに相当する。
【００１９】
そして、操作者は早送り（×２０）モードを設定した時点からＴＶディスプレイ１３を注視しながら視聴したい映像が表示されるのを待っている状態にあり、その映像の表示を確認した時点で直ちに通常再生（×１）モードに戻して放送番組を視聴することになる（S17,S19）。その場合、一般的には表示映像の確認から通常再生（×１）モードの設定（ボタン操作）までに反応時間が介在し、如何にしても約０.５sec程度のタイミングの遅れが生じるのであるが、前記のように子画面５２側には親画面５１側の映像よりも０.５sec前の映像が表示されているため、操作者は子画面５２を見ながら通常再生（×１）モードの設定操作を行うことにより、実質的に的確なタイミングでの操作を行うことができる。即ち、予め前記操作タイミングの遅れを見込んで通常再生（×１）モードの設定を行わせるため、通常再生（×１）モードでの再生を視聴したい映像から正確に開始させることができる。
【００２０】
ところで、以上では早送り再生モードが２０倍の速度倍率の設定条件でなされた場合について説明したが、一般のビデオレコーダでは５倍〜３０倍の範囲で速度倍率の設定が可能になっていることが多く、例えば、リモコンの早送り再生モードボタンを繰り返して押すことにより５倍から３０倍まで５倍分ずつ増大して設定できるような方式が採用されている。そこで、前記ビデオレコーダ１が早送り再生モードで５Ｆ倍（但し、Ｆ＝１,２,３,４,５,６）の速度倍率の設定が可能であるとして、図３の場合と同様に［通常再生モード→早送り再生モード→通常再生モード］の切り換えを行う場合の動作を図５に示す。
【００２１】
図５と図３を比較すれば明らかなように、図５においてＦ＝４の場合が図３の場合に相当し、基本的手順は双方とも同様である。従って、早送り再生モードが５Ｆ倍の速度設定で行われた場合においては、親画面５１と子画面５２のそれぞれに５Ｆフレーム毎のフレーム：Ｇ[X+5Fi]，Ｓ[X-75F+5Fi]が表示されることになると共に、図５のステップS25,S26に示すように、子画面５２側に表示されるフレーム：Ｓ[X-75F+5Fi]は親画面５１側のフレームよりも７５Ｆフレーム分前のものである。その場合、Ｆ＝１,２,３,４,５,６として５倍／１０倍／１５倍／２０倍／２５倍／３０倍の速度倍率の設定がなされると、図６に示すように、子画面５２側の画像は通常再生（×１）モードにおける２.５sec前／５sec前／７.５sec前／１０sec前／１２.５sec前／１５sec前の画像に相当することになるが、早送り再生モードに換算すると一律に０.５sec前の画像に相当する。このことにより、如何なる速度倍率の設定を行っていても、操作者は子画面５２側の映像を見ながら常に同様の操作タイミングで通常再生（×１）モードへの切り換えを行えばよく、安定した操作性を確保できる。
【００２２】
尚、以上では早送り再生モードの場合について説明したが、逆早送り再生モードの場合には時間的に前後が逆の関係になるだけであり、同様の機能と効果が実現できる。因みに、逆早送り再生モードにおいて、親画面５１側に表示されるフレームはＧ[X-5Fi]であり、子画面５２側に表示されるフレームはＳ[X+75F-5Fi]となる。また、図５のステップS24とステップS25においては、それぞれのステップでハードディスクからＧＯＰを読み出すようになっているが、小さい速度倍率が設定されており、フレーム：Ｇ[X+5Fi]とＧ[X-75F+5Fi]が同一のＧＯＰに属するような場合には、ＧＯＰの読み出しはステップS24の１回だけでよい。
【００２３】
［実施形態２］
実施形態１のビデオレコーダ１における早送り再生モード設定時の親子画面表示機能によると、図６に示すように、一定サイズの子画面に早送り再生モード換算で０.５sec前の映像を表示させるが、一般に早送り再生モードの速度倍率が大きくなると映像の変化状態が確認しづらくなり、その結果、大きな速度倍率での早送り再生モードが設定されている場合には通常再生（×１）モードへの操作タイミングが遅れてしまうことがある。
【００２４】
そこで、この実施形態では速度倍率が大きくなるにつれて子画面のサイズを大きくして見易くする方式を採用する。この実施形態におけるビデオレコーダのシステム構成は実施形態１の場合と同様であり、また、早送り再生モードでのフレームの読み出し・デコード処理及びフレームメモリ２１，２２への書き込みについても同様であるが、親子画面生成部９の縮小画像生成部２４が速度倍率に応じて子画面の画像サイズを変化させる。
【００２５】
この実施形態における［通常再生モード→早送り再生モード→通常再生モード］の切り換えを行う場合の動作手順は図７のフローチャートに示される。同図と図５とを比較すれば明らかなように、この実施形態の手順で実施形態１の場合と相違する点は、ステップS22aが追加されており、ステップS26'における縮小画像データの生成が前記ステップS22aで設定された縮小倍率で行われることにある。具体的には、早送り再生モードが５Ｆ倍（但し、Ｆ＝１,２,３,４,５,６）の速度倍率で設定されると、制御部１７によって親子画面生成部９の縮小画像生成部２４の縮小倍率を０.０５（Ｆ＋４）として設定し（S22,S22a）、縮小画像生成部２４がその縮小倍率：０.０５（Ｆ＋４）でフレームメモリ２２のフレーム：Ｇ[X-75F+5Fi]の画像データを縮小し、画像合成部２５がフレームメモリ２１のフレーム：Ｇ[X+5Fi]の画像データに前記縮小後の画像データ：Ｓ[X-75F+5Fi]を合成する（S26'）。
【００２６】
このように縮小画像生成部２４における縮小倍率を早送り再生モードの速度倍率に比例して可変設定すると、図８に示すように、速度倍率が大きくなるにつれて子画面５２のサイズが大きくなり、子画面５２の映像が見易くなる。即ち、例えば、速度倍率が１５倍（Ｆ＝３），３０倍（Ｆ＝６）に設定された場合の子画面５２のサイズは、速度倍率が５倍（Ｆ＝１）の場合の子画面５２のサイズに対してそれぞれ１.４倍，２倍となる。従って、早送り再生モードが大きな速度倍率で設定されていても、通常再生（×１）モードへの切り換え操作を小さい速度倍率の設定状態と同様の反応時間で行える。尚、この実施形態では早送り再生モードの場合について説明しているが、逆早送り再生モードの場合においても同様に縮小画像生成部２４の縮小倍率を速度倍率（絶対値）に比例させて設定すればよい。
【００２７】
［実施形態３］
一般的に、ビデオレコーダでは早送り／逆早送り再生モードの設定中であることやその設定速度倍率を画面の右上領域等に表示して確認できるようになっている。例えば、図１の回路構成であれば、早送り／逆早送り再生モードの設定があった場合に、制御部１７がそのモード設定と速度倍率とをＯＳＤ発生部１１へ通知し、ＯＳＤ発生部１１がその通知情報を文字データとして加算回路１２へ出力してＴＶディスプレイ１３の表示画面中の所定領域に表示させる。しかし、早送り／逆早送り再生モードでは映像の遷り変わりが早いため、通常再生（×１）モードと比較して前記文字情報を視認しづらいことが多い。
【００２８】
そこで、この実施形態では、実施形態１のビデオレコーダ１において、子画面５２の表示位置によって早送り再生モードと逆早送り再生モードのいずれが如何なる速度倍率で設定されているかを容易に視認できるようにする。従って、この実施形態においても、ビデオレコーダのシステム構成、及び早送り再生モードでのフレームの読み出し・デコード処理とフレームメモリ２１，２２への書き込みに関する手順は実施形態１の場合と同様であるが、親子画面生成部９の画像合成部２５が早送りモードか逆早送りモードかの相違及び各モードでの設定速度倍率に応じて縮小画像の合成位置を変化させる点に特徴がある。
【００２９】
この実施形態における、［通常再生モード→早送り／逆早送り再生モード→通常再生モード］の切り換えを行う場合の動作手順は図９のフローチャートに示される。同フローチャートにおいて、前記特徴に係る手順はステップS33とステップS37にあり、早送り／逆早送り再生（×±５Ｆ）モードが設定されると、その設定条件に応じて親子画面生成部９の画像合成部２５による縮小画像の合成位置を設定し（S32,S33）、フレームメモリ２１側の画像データに対してフレームメモリ２２側の画像データを縮小した後の画像データを前記設定合成位置に合成して表示させる（S37）。
【００３０】
そして、前記合成位置は、早送り再生モードと逆早送り再生モードのいずれが設定されているか、及び如何なる速度倍率で設定されているかによって、親子画面が図１０に示すような表示状態になるように設定される。即ち、早送り再生モードが設定されている場合には親画面５１の中心より右側に子画面５２の中心が表示されるようにすると共に、設定された速度倍率が大きくなるほどより右側へ偏移した位置になるように設定され、一方、逆早送り再生モードが設定されている場合には早送り再生モードと逆の関係での表示位置とされる。
【００３１】
従って、操作者は、早送り／逆早送り再生モードとその速度倍率を設定した場合に、その設定条件をＴＶディスプレイ１３の子画面５２の表示位置から一見して視認することができ、文字情報として早送り／逆早送り画面の中に表示させる場合のように設定条件を確認しづらくなる不都合は生じない。
【産業上の利用可能性】
【００３２】
本発明は、ビデオレコーダ等のように所望の映像の位置から通常再生を行わせるために早送り／逆早送り再生モードを設定して検索することが可能な映像信号再生装置に適用できる。
【図面の簡単な説明】
【００３３】
【図１】本発明の映像信号再生装置の実施形態に係るビデオレコーダのブロック図である。
【図２】主に親子画面生成部の構成を示すブロック図である。
【図３】実施形態１において［通常再生モード→早送り再生（×２０）モード→通常再生モード］の切り換えを行う場合の動作手順を示すフローチャートである。
【図４】実施形態１において早送り再生（×２０）モードが設定されている場合の親子画面の表示態様を示す図である。
【図５】実施形態１において［通常再生モード→早送り再生（×５Ｆ）モード→通常再生モード］の切り換えを行う場合の動作手順を示すフローチャートである。
【図６】実施形態１において早送り再生（×５Ｆ）モードが設定されている場合の親子画面の表示態様を示す図である。
【図７】実施形態２において［通常再生モード→早送り再生（×５Ｆ）モード→通常再生モード］の切り換えを行う場合の動作手順を示すフローチャートである。
【図８】実施形態２において早送り再生モードが設定されている場合の親子画面の表示態様を示す図であり、（Ａ），（Ｂ），（Ｃ）はそれぞれ速度倍率が５倍，１５倍，３０倍の場合に対応する。
【図９】実施形態３において［通常再生モード→早送り／逆早送り再生（×±５Ｆ）モード→通常再生モード］の切り換えを行う場合の動作手順を示すフローチャートである。
【図１０】実施形態３において早送り／逆早送り再生モードが設定されている場合の親子画面の表示態様を示す図であり、（Ａ），（Ｂ），（Ｃ）はそれぞれ５倍，１５倍，３０倍の速度倍率で早送り再生モードが設定されている場合に対応し、（Ｄ），（Ｅ），（Ｆ）はそれぞれ５倍，１５倍，３０倍の速度倍率で逆早送り再生モードが設定されている場合に対応する。
【符号の説明】
【００３４】
１…ビデオレコーダ、２…アンテナ、３…ＴＶチューナ部、４…スイッチ回路、５…Ａ／Ｄ変換器、６…エンコーダ、７…ＨＤＤ（ハードディスク装置）、８…デコーダ、９…親子画面生成部、１０…Ｄ／Ａ変換器、１１…ＯＳＤ発生部、１２…加算回路、１３…ＴＶディスプレイ、１４…リモコン、１５…受光部、１６…インターフェイス、１７…制御部、２１，２２…フレームメモリ、２３…Ｒ／Ｗ制御部、２４…縮小画像生成部、２５…画像合成部、５１…親画面、５２…子画面。
【図１】
2006324850.tif 000003
【図２】
2006324850.tif 000004
【図３】
2006324850.tif 000005
【図４】
2006324850.tif 000006
【図５】
2006324850.tif 000007
【図６】
2006324850.tif 000008
【図７】
2006324850.tif 000009
【図８】
2006324850.tif 000010
【図９】
2006324850.tif 000011
【図１０】
2006324850.tif 000012